(57)【要約】【課題】  従来の移植ゴテの形状は、半円形の湾曲した曲面となっているため、掘削土がこぼれやすく、根土ごと移植することが困難であった。【解決手段】  本発明は、柄部の上端に夫々把持部が設けられ、下端に夫々土砂を保持する保持具が装着されている１対のスコップであって、両土砂保持面が接近する方向に付勢され、前記土砂保持面は相互に対向する部位が凹状に形成され、両土砂保持面が接近することによって少なくとも下端が開放された筒状を呈し、手動操作によって前記両土砂保持面を離間させるように構成されていることを特徴とするものである。【選択図】図１
2016211357.tif 000002
【特許請求の範囲】
【請求項１】
柄部の上端に夫々把持部が設けられ、下端に夫々土砂を保持する保持具が装着されている１対のスコップが、前記１対の保持具の土砂保持面が相対向して接近離間するように、接続部材によって揺動自在に接続されている複合スコップであって、
前記土砂保持面は相互に対向する部位が凹状に形成され、両土砂保持面が接近することによって少なくとも下端が開放された筒状を呈し、手動操作によって前記両土砂保持面を離間させるように構成されていることを特徴とする複合スコップ。
【請求項２】
柄部の上端に夫々把持部が設けられ、下端に夫々土砂を保持する保持具が装着されている１対のスコップが、前記１対の保持具の土砂保持面が相対向して接近離間するように、接続部材によって揺動自在に接続され、且つ両土砂保持面が接近する方向に付勢されている複合スコップであって、
前記土砂保持面は相互に対向する部位が凹状に形成され、両土砂保持面が接近することによって少なくとも下端が開放された筒状を呈し、手動操作によって前記両土砂保持面を離間させるように構成されていることを特徴とする複合スコップ。
【請求項３】
前記保持具は、夫々把持部の下端に着脱自在に装着されている請求項１又は請求項２に記載の複合スコップ。
【請求項４】
前記土砂保持面は相互に対向する部位が凹状に形成され、両土砂保持面が接近することによって少なくとも下端が開放された円筒状もしくは角筒状を呈している請求項１ないし請求項３のいずれか１項に記載の複合スコップ。
【請求項５】
前記接続部材は、一方の柄部に一端が揺動自在に装着され内方に延出する一方の接続片と、他方の柄部に一端が揺動自在に装着され内方に延出する他方の接続片とが、その自由端部近傍で揺動自在に接続されることによって形成されている請求項１ないし請求項４のいずれか１項に記載の複合スコップ。
【請求項６】
前記各接続片には、両土砂保持面を接近する方向に付勢する付勢部材が装着されている請求項２ないし請求項５のいずれか１項に記載の複合スコップ。
【請求項７】
両接続片の接続部は、前記柄部の把持部に装着されているレバーに連結部材によって連結され、当該レバーを偏倚させることにより、前記付勢部材に抗して、両土砂保持面が離間方向に移動する請求項２ないし請求項６のいずれか１項に記載の複合スコップ。
【請求項８】
前記両接続片の基部には、両土砂保持面を接近させる方向に付勢するバネが装着されており、前記レバーを偏倚させることにより、前記バネに抗して、両土砂保持面が離間方向に移動する請求項７記載の複合スコップ。
【請求項９】
前記１対の柄部は、保持具の接近離間動作に伴って当該保持具とは反対方向に揺動するように接続部材によって接続されており、前記接続部材は、前記把持部と前記保持具との間に設けられており、前記接続部材と把持部との間に、一方の柄部と他方の柄部が前記揺動方向と交差する方向に相互に変位することを防止する変位防止部材が備えられている請求項１ないし請求項８のいずれか１項に記載の複合スコップ。
【請求項１０】
前記柄部は、前記保持具が装着されている部位から把持部の方向に直線的に延び、その延長部は外方に斜めに折曲され、前記両柄部を接近させた際に前記折曲部の内側が接触するように構成されている請求項１ないし請求項９のいずれか１項に記載の複合スコップ。
【請求項１１】
前記連結部材は鋼製のワイヤにてなり、当該ワイヤはその湾曲部では剛性の高いパイプ内に挿通されている請求項２ないし請求項９のいずれか１項に記載の複合スコップ。
【請求項１２】
両土砂保持面が接近した際には、下端が小径の円錐台状を呈している請求項１ないし請求項１１のいずれか１項に記載の複合スコップ。
【発明の詳細な説明】
【技術分野】
【０００１】  本発明は、例えば苗木の移植をする際に、先ず苗木を移植しようとする移植先の土壌に所定の大きさの移植穴を掘削し、次いで現在植えられている苗木をその周囲の土と共に掘出し前記移植穴に移植するために好適なものである。
【背景技術】
【０００２】  従来、公園などの植物を移植する際には、先ず苗木を移植しようとする土壌に従来周知のスコップによって所定の大きさの移植穴を掘削し、次いで現在植えられている苗木を、これまた従来周知のスコップでその周囲の土と共に掘出し、前記移植穴に移植していた。【０００３】  園芸作業において、植物の移植や苗を植え付ける際には、従来周知の移植ゴテを用いるが、この移植ゴテは、柄部を把持し半円筒状のスコップの刃面を土壌に垂直もしくは傾斜させてさし差し込み、掘削するのに用いられている。【０００４】  例えば、植物を育成地から花壇へ移植する際には、植物の周囲を数回掘削し、植物を土壌と共に掘り起こす。この時作業者は、移植ゴテが植物に干渉し傷つけないよう植物の形状や種類に合わせて掘削している。そして掘り起こした植物ごと、花壇へ移植する。【０００５】  また、鉢植え（ポット植え）された植物を花壇の土壌へ移植する際には、先ず作業者は前記スコップを用いて、移植先の土壌を適切な範囲で掘削し移植穴を開設する。
次いで鉢（ポット）から植物を取り出して前記移植穴に当該植物を移植し、必要であれば土を盛る。鉢（ポット）から植物を取り出す方法は前記移植ゴテを用いるほか、作業者が鉢（ポット）を上下逆にして土壌ごと植物を取り出している。【０００６】  しかしながら、土壌を掘削するにあたり、従来の移植ゴテは短いので、作業姿勢も屈んで行わねばならず相当な労力負担を要する。さらに移植ゴテの形状は、半円形の湾曲した曲面となっているため、掘削土がこぼれやすく、根土ごと移植することが困難である。
そこで、このような課題を解決するものとして、特許文献１に記載のような、一対の刃面が対向する移植ゴテが提案されている。【０００７】
【先行技術文献】
【０００８】
【特許文献１】  特開２０１３−５９２６５号公報
【発明の概要】
【発明が解決しようとする課題】
【０００９】  前述の特許文献１に記載されている移植ゴテは、小型のもので通常のスコップのような長い柄部は設けられていない。
従って極めて少量の花（苗）の移植には適しているが、大量の花（苗）の移植を行うような場合には適していない。
また、土砂等を移動する際に一対の刃面間で土砂を挟持しなければならず、作業者は両手で夫々の刃面を保持した状態で土砂を掘削した後、その土砂を両手で挟持したまま移動させなければならず、かかる作業はコツを要し煩雑なものとなる。【００１０】  本発明は、上記のような従来の課題に鑑み、容易に土壌に植栽用の移植穴を掘削し、その際排出される土砂を簡便に所定の位置に移送できる安価で便利な複合スコップを提供するものである。
なお、本発明者は本願の出願前に下端にスコップの刃が装着された複合スコップについて出願しており（特願２０１５−３００４１）、本発明はその応用でもある。
【課題を解決するための手段】
【００１１】  （１）本発明の複合スコップは、柄部の上端に夫々把持部が設けられ、下端に夫々土砂を保持する保持具が装着されている１対のスコップが、前記１対の保持具の土砂保持面が相対向して接近離間するように、接続部材によって揺動自在に接続されている複合スコップであって、前記土砂保持面は相互に対向する部位が凹状に形成され、両土砂保持面が接近することによって少なくとも下端が開放された筒状を呈し、手動操作によって前記両土砂保持面を離間させるように構成されていることを特徴とする。
本発明の複合スコップは、柄部の上端に夫々把持部が設けられ、下端に夫々土砂を保持する保持具が装着されている１対のスコップが、前記１対の保持具の土砂保持面が相対向して接近離間するように、接続部材によって揺動自在に接続され、且つ両土砂保持面が接近する方向に付勢されている複合スコップであって、前記土砂保持面は相互に対向する部位は凹状に形成され、両土砂保持面が接近することによって少なくとも下端が開放された筒状を呈し、手動操作によって前記両土砂保持面を離間させるように構成されていることを特徴とする。【００１２】  本発明では、両保持具の土砂保持面が接近する方向に付勢されており、前記土砂保持面は相互に対向する部位は凹状に形成され、両土砂保持面が接近することによって少なくとも下端が開放された筒状を呈しているので、複合スコップをそのままの状態で上方から土壌の表面に差し込むと、前記土砂保持面間に土砂が侵入し、付勢力によって当該土砂が前記土砂保持面間で保持され、その後に所定の移植穴が掘削される。【００１３】  土砂が保持された複合スコップを所定の位置まで移動させた後、レバーの手動操作によって前記両保持具の土砂保持面を離間させると、前記土砂保持面間で保持されていた土砂は解放され、所定の位置に落下することになる。
従って、地面に複合スコップを突き立てた後に移動させ、両土砂保持面を離間させれば土砂を所望の位置の移転させることができる。【００１４】  （２）本発明において、前記接続部材は、一方の柄部に一端が揺動自在に装着され内方に延出する一方の接続片と、他方の柄部に一端が揺動自在に装着され内方に延出する他方の接続片とが、その自由端部近傍で揺動自在に接続されることによって形成されていることが好ましい。
このように構成されていると、１対の保持具の土砂保持面が相対向し、容易に接近離間させることができる。【００１５】  （３）本発明において、前記各接続片には、両土砂保持面を接近する方向に付勢する付勢部材が装着されていることが好ましい。
このように構成されていると、前記付勢部材によって両土砂保持面が接近し、当該両土砂保持面の鉛直方向に沿った側縁が接触もしくは重なる。【００１６】  （４）本発明において、両接続片の接続部は、前記柄部の把持部に装着されているレバーに連結部材によって連結され、当該レバーを操作させることにより、前記付勢部材に抗して、両土砂保持面が離間方向に移動するように構成することが好ましい。
このように構成すると、作業者は前記レバーを操作するだけで、両土砂保持面が前記付勢部材に抗して離間するので、両土砂保持面にて挟持された土砂は自動的に落下することになる。【００１７】  （５）本発明において、前記両接続片の基部には、両保持具の土砂保持面を接近させる方向に付勢するバネが装着されており、前記レバーを偏倚操作させることにより、前記バネに抗して、両土砂保持面が離間方向に移動するように構成することが好ましい。
このように構成すると、構造が簡単で安価に製造することができる。【００１８】  （６）本発明において、両土砂保持面は、使用姿勢で若干下部が狭まった円錐台状であって、水平方向の断面が半円筒形もしくは半角筒形を呈していることが好ましい。
このように構成すると、両土砂保持面で構成される筒は、若干下部が狭まった円筒状もしくは四角筒状となり、円形や四角形の移植穴を掘削することができる。
近年、苗木を搬送する際にそのスペース効率を高めるため、苗木の根元の土は鉛直方向から見て四角形に形成される場合が多く、その形態に容易に適合することができる。【００１９】  （７）本発明において、前記１対の柄部は、保持具の接近離間動作に伴って当該保持具とは反対方向に揺動するように接続部材によって接続されており、前記接続部材は、前記把持部と前記保持具との間に設けられており、前記接続部材と把持部との間に、一方の柄部と他方の柄部が前記揺動方向と交差する方向に相互に変位することを防止する変位防止部材が備えられていることが好ましい。【００２０】  一方の柄部と他方の柄部が前記揺動方向と交差する方向に相互に変位することを防止する変位防止部材が備えられているので、仮に前記接続部材に、両柄部との間で揺動方向と交差する方向即ちねじれ方向に不必要な応力が加わっても、前記変位防止部材によって変位することはなく、接続部が破損することもない。【００２１】  （８）本発明において、前記保持具は、前記柄部の下端に着脱可能に装着されていてもよい。
そうすると、複数種の保持具を前記柄部に装着することができる。【００２２】  （１０）本発明において、前記柄部は、前記保持具が装着されている部位から把持部の方向に直線的に延び、その延長部は外方に斜めに折曲され、前記両柄部を接近させた際に前記折曲部の内側が接触するように構成されていることが好ましい。
前述の様に前記両柄部を接近させた際に前記折曲部の内側が接触するように構成されていると、作業者が、両方の把持部を掴んで柄部を相互に内方向に応力を加えても、前記両折曲部が接触して、前記両柄部が接触することはなく、両柄部で指を挟むこともない。【００２３】  （１１）本発明において、前記連結部材は鋼製のワイヤにてなり、当該ワイヤはその湾曲部では剛性の高いパイプ内に挿通されていることが好ましい。
鋼製のワイヤは硬質であるので、自然の状態では湾曲部の曲率半径は必然的に大きくなるが、剛性の高いパイプ内を挿通させると、当該パイプによってその曲率半径を小さく規制することができ、結果としてワイヤ自体の長さを短くすることが可能となる。【００２４】  （１２）本発明において、両保持具の土砂保持面が接近した際には、下端が小径の円錐台状を呈していることが好ましい。
下端が小径の円錐台状を呈していると、両土砂保持面にて挟持した土砂は落下しにくくなる。
【発明の効果】
【００２５】  本発明では、複合スコップをそのままの状態で上方から土壌の表面に差し込むと、前記土砂保持面間に土砂が侵入し、付勢力によって当該土砂が前記土砂保持面間で保持されるので、作業者が両方の柄部を把持して土砂が落下することを防止するという煩雑な作業から解放される。
【図面の簡単な説明】
【００２６】
【図１】本発明の実施形態に係る複合シャベルの、保持具の土砂保持面間が接近した状態の正面図である。
【図２】本発明の実施形態に係る複合シャベルの、保持具の土砂保持面間が離間した状態の正面図である。
【図３】本発明の他の実施形態に係る複合シャベルの、保持具の土砂保持面間が接近した状態の正面図である。
【図４】図３に対応する複合シャベルの斜視図である。
【図５】保持具を把持部から離間させた状態の保持具の正面図である。
【図６】円筒形の保持具の情報から見た斜視図である。
【図７】柄部の下端部の斜視図である。
【図８】本発明の更に他の実施形態に係る複合シャベルの、保持具の土砂保持面間が接近した状態の正面図である。
【００２７】  以下、図１および図２を参照しつつ、本発明の実施形態を説明する。
これらの図において、鉄製のパイプにてなる柄部１の下端は、一部圧搾されて扁平化されており、当該扁平部２に鉄製の保持具３の裏面（土砂保持面の反対側の面）が溶接されている。【００２８】  本実施の形態では、保持具３の土砂保持面側は相互に対向する部位が凹状に形成され、具体的には使用姿勢で水平方向の断面が半円筒形を呈しており、上端および下端は開放されている。
従って、両保持具３、３で構成される筒は円筒形を呈することになる。なお、両土砂保持面が接近し、当該両土砂保持面の鉛直方向に沿った側縁が接触してもよいが、一方の保持具３の側縁が他方の保持具３の側縁よりも内側に入り込んでもよい。
また、図１から明らかなように、下端が若干小径の円錐台状を呈している。このように構成されると保持具の両土砂保持面にて挟持した土砂は落下しにくくなる。【００２９】  前記保持具３は、チャンネル鋼材のように、土砂保持面側が使用姿勢で水平方向の断面が半四角筒形を呈していると、鉛直上方から見て、四角形の移植穴を掘削することができる。【００３０】  近年、苗木を搬送する際にそのスペース効率を高めるため、苗木の根元の土は鉛直方向から見て四角形に形成される場合が多く、そのような場合には、その形態に合わせて四角形の移植穴を掘削する必要があり、断面が半四角筒形を呈する保持具が適切となる。
かかる観点から、前記扁平部２に鉄製の保持具３を溶接するのではなく、複数種類の他の保持具を着脱可能に装着するようにしてもよい。【００３１】  前記柄部１、１の前記扁平部３、３の上部の内側には、内方に延在する固定具４、４が溶接され、当該固定具４、４の自由端部に接続片５、５の一端が揺動可能に接続され、両接続片５、５の他端同士が揺動自在に接続されており、この一方の接続片５と他方の接続片５とで接続部材が構成されている。【００３２】  また、前記固定具４と接続片５とを接続する接続軸６には、接続片５を下方に付勢するためのトーションバネ１６が装着されている。従って図１に示す左側の接続片５はその接続軸６を支点として時計方向に付勢され、右側の接続片５はその接続軸６を支点として半時計方向に付勢されることになる。
従って、通常は接続片５、５の底面部と固定具４、４の底上面部が、トーションバネ１６、１６の付勢力によって図１に示す姿勢を保持する。この場合当然、この保持状態で保持具３、３の先端部は土壌に差し込んだときの姿勢を維持している。【００３３】  なお、両接続片５、５は一定以上可能に回転しないように、前記各固定具４、４に図示せぬストッパが備えられ、通常の状態では図１に示すように、接続片５、５は概ね水平となるように形成されている。
前記両接続片５、５を相互に接続する接続軸７には、ワイヤ８の下端が固着されたワイヤ固定具９が揺動自在に装着されている。【００３４】  前記ワイヤ８は前記一方の柄部１に沿って上方に延在し、前記柄部１の上端を外方に折曲形成してなる前記把持部１０の近傍に備えられたレバー１１に連結される。
前記把持部１０にはゴム製のチューブ１２が被着され、作業者が当該チューブ１２と前記レバー１１を把握すると、自転車のブレーキのように、前記ワイヤ８が引き上げられることになる。【００３５】  前記ワイヤ８の曲率半径の小さな湾曲部１３は、剛性の高いパイプに挿通されている。
当該ワイヤ８は鋼製で硬質であるので、自然の状態では湾曲部の曲率半径は必然的に大きくなるが、剛性の高いパイプ内を挿通させると、当該パイプによってその曲率半径を小さく規制することができ、結果としてワイヤ自体の長さを短くすることが可能となる。【００３６】  前記柄部１は、前記保持具３が装着されている部位から上方に直線的に延び、その延長部は外方に斜めに折曲され、前記両柄部１、１を接近させた際に前記折曲部１４、１４の内側が接触するように構成されている。【００３７】  従って、作業者が両チューブ１２、１２を掴んで柄部１、１を相互に内方向に応力を加えても、前記両折曲部１４、１４同士が接触し、前記両柄部１、１の上部が接触することはなく、両柄部１、１の間で作業者が指を挟むこともない。
前記柄部１の、折曲部１４の上部には、変位防止部材１５が装着されている。当該変位防止部材１５は、鉄線を、鉛直方向から見ると長楕円形に湾曲成形したもので、幅の狭い平行な部分で右側の柄部１を摺動自在に保持し、左端は左側の柄部１を巻き込むように溶接されている。【００３８】  次に本発明の複合スコップで移植穴を掘削し、取りだし土砂を移送する方法について説明する。
まず図１に示すように、両保持具３、３が接近している状態で、作業者が所望の土壌に上方から差し込むと、前記両保持具３、３の内側の土砂保持面に所定の土砂が入り込む。
この際、両保持具３、３で形成される円筒は下端が若干小径の円錐台状を呈しており、また両保持具３、３の内側の土砂保持面は接近する方向に付勢されているので、土砂は両保持具３、３によって確実に保持される。【００３９】  その状態で、作業者が複合スコップを引き上げると、土壌から所定量の土砂が取り除かれ、その跡に所定の移植穴が掘削されることになる。
その後、作業者が土砂を保持した状態で所定の位置に移動し、図２に示すように、前記レバー１１を把持すると、前記ワイヤ８が引き上げられ、前記ワイヤ固定具９も上方に引き上げられることになる。【００４０】  そうすると、左側の両接続片５はそのトーションバネ１６の付勢力に抗して接続軸６を支点として反時計方向に回転し、右側の両接続片５はそのトーションバネ１６の付勢力に抗して接続軸６を支点として時計方向に回転する。
従って、図２に示すようにし、両保持筒３、３が離間し、それらの間で保持されていた土砂が落下し、土砂を所定の位置に移動させることになる。【００４１】  なお、土砂の粘度が高く、両保持筒３、３から落下し難い場合には、作業者が両方のチューブ１２、１２を掴んで、両柄部１、１を、拍子木を叩くように相互に外側から応力を加えると、前記両柄部１、１の両折曲部１４、１４同士が接触して複合スコップ全体が振動し、土砂は両保持筒３、３から容易に落下する。【００４２】  次に、図３ないし図５を参照しつつ、本発明の他の実施形態を説明する。
本発明の他の実施形態では、前記実施の形態と同一部分には同一符号を付し、詳細な説明は略す。【００４３】  各保持具３の外側面の上端近傍に、前記柄部１と殆ど同径の支持軸１７が固着され、当該支持軸１７の上端に接続凸片１８が植設されている。
一方、柄部１の下端には前記接続凸片１８が挿抜自在に挿入され得る接続凹所２１が穿設されており、前記接続凸片１８を接続凹所２１に挿入し、軸線方向と直交する方向からセットピン１９を挿入すると、保持具３は柄部１の下端に堅固に固定されることになる。
従って、複数種の保持具３を柄部１に着脱することによって、各種作業に適応させることができる。【００４４】  なお、この実施の形態ではワイヤ８等は装着されておらず、作業者はチューブ１２を把持して両方の柄部１を相互に接近させれば前記保持具３の下端は開き、両方の柄部１を相互に離間させれば前記保持具３の下端は閉じることになる。
そのため、前記両接続片５、５の接続部（接続軸７の部分）は通常状態において若干上方に持ち上がるように折曲している。【００４５】  また、図６に示すように円筒形の保持具３で、下端に鋸刃のような凹凸部（ギザギザ）２２形成しておけば、ビニールシートを敷いた地面に、その上面から円筒形の穴を開ける機能を有することになる。【００４６】    図８に示す更に他の実施形態では、前記実施の形態の保持具３と柄部１が着脱されるものではなく一体に形成されており、ワイヤ８等は装着されておらず、作業者はチューブ１２を把持して両方の柄部１を相互に接近させれば前記保持具３の下端は開き、両方の柄部１を相互に離間させれば前記保持具３の下端は閉じることになる。
【符号の説明】  １  柄部
２  扁平部
３  保持具
４  固定具
５  接続片
６  接続軸
７  接続軸
８  ワイヤ
９  ワイヤ固定具
１０  把持部
１１  レバー
１２  チューブ
１３  湾曲部
１４  折曲部
１５  変位防止部材
１６  トーションバネ
１７  支持軸
１８  接続凸片
１９  セットピン
２０  凹凸部
２１  接続凹部
【図１】
2016211357.tif 000003
【図２】
2016211357.tif 000004
【図３】
2016211357.tif 000005
【図４】
2016211357.tif 000006
【図５】
2016211357.tif 000007
【図６】
2016211357.tif 000008
【図７】
2016211357.tif 000009
【図８】
2016211357.tif 000010